(57)【要約】【課題】本発明は、伸縮力にバラツキがある場合に着圧バランスを調整して体型を無理なく補整することができる帯状補整構造及びそれを用いた衣類を提供することを目的とするものである。【解決手段】帯状補整構造は、伸縮性を有する布地からなるとともに所定の補整部位を覆うように巻き付けられる当接部１と、当接部１に取り付けられて布地の伸縮を制限するとともに補整部位の両側に配置される伸び止め部２とを備えており、伸び止め部２は、低伸縮性の布地からなるとともに当接部１の幅方向に沿って取り付けられる縦止め布片２１と、低伸縮性の布地からなるとともに当接部１の長手方向に沿って縦止め布片２１と交差するように取り付けられる横止め布片２２とを備えている。【選択図】図１
2015098658.tif 000002
【特許請求の範囲】
【請求項１】
伸縮性を有する布地からなるとともに所定の補整部位を覆うように巻き付けられる当接部と、前記当接部に取り付けられて前記布地の伸縮を制限するとともに前記補整部位の両側に配置される伸び止め部とを備えている帯状補整構造。
【請求項２】
前記伸び止め部は、低伸縮性の布地からなるとともに前記当接部の幅方向に沿って取り付けられる縦止め布片と、低伸縮性の布地からなるとともに前記当接部の長手方向に沿って前記縦止め布片と交差するように取り付けられる横止め布片とを備えており、前記横止め布片の対向する端部の間に前記補整部位が配置されるように設定されている請求項１に記載の帯状補整構造。
【請求項３】
前記縦止め布片及び前記横止め布片は、モノフィラメントにより織成した織地からなる請求項２に記載の帯状補整構造。
【請求項４】
請求項１から３のいずれかに記載の帯状補整構造を備えている衣類。
【発明の詳細な説明】
【技術分野】
【０００１】
本発明は、身体に着用して体型を補整する帯状状補整構造及びそれを用いた衣類に関する。
【背景技術】
【０００２】
従来より身体に着用して体型を引き締めることで美しい体型を実現する衣類が提案されている。こうした衣類では、体型を補整したい部位に対応する位置に伸縮性を有する布地を適当な形状に切断して縫製等により取り付けることで、布地の伸縮力により体型を美しいシルエットを表出するように補整している。
【０００３】
例えば、特許文献１では、伸縮性のメッシュ生地からなるとともに着用者の腹部を覆う前身頃と着用者の腰部から臀部を覆う後身頃とを有する下着本体と、メッシュ生地よりも緊締力の強い帯状のパワーネットからなるとともに骨盤周囲を囲繞するように下着本体上部における前身頃の左右両脇部前側から後身頃の周方向全体に亘って縫着された骨盤安定着圧ベルトと、クッション材からなるとともに後身頃の略中央部にて骨盤安定着圧ベルト上に取着されて腰部表面から仙骨全体に向けて押圧力を付与する仙骨安定パッドで構成されているサポート下着が記載されている。また、特許文献２では、伸縮性を有する生地からなるガードル本体と、ガードル本体の背面で交差してガードル本体に縫付けられた、伸縮性及び弾力性を有する生地からなる１対の背面交差部材とを具備し、１対の背面交差部材のそれぞれの上端部分及び下端部分は、ガードル本体に縫付けられるとともに下端部分の一部がガードル本体に縫い付けられていない部分を有する骨盤矯正ガードルが記載されている。
【先行技術文献】
【特許文献】
【０００４】
【特許文献１】登録実用新案第３１６１７１３号公報
【特許文献２】特開２０１１−９９１６９号公報
【発明の概要】
【発明が解決しようとする課題】
【０００５】
特許文献１及び２では、伸縮性を有する布地を身体の周囲に巻き付けるように配置して体型を引き締めるように構成しているが、布地の伸縮性が一様であるため、身体の形状や部位によって受ける伸縮力に差が生じるようになる。例えば、骨盤の周囲に巻き付けるように布地を配置した場合、後側の臀部のように肉厚の柔らかい部位に比べて脇側の腰骨に当接する肉薄の硬い部位の方が伸縮力が高くなる。そのため、脇側の部分の布地の伸びが大きくなり、脇側の部分がよく伸びる分だけ後側の部分の伸びが小さくなる。こうした伸縮力のバラツキが生じるようになると、全体としてバランス良く補整することが難しくなり、また身体が受ける伸縮力による着圧の度合いが不均一となって血流の悪化を生じるおそれがある。伸縮力が小さくなる部位に当て布をして伸縮力を高めることも考えられるが、布地を重ね合せた部分が厚くなって表面に段差が生じるようになり、外観上好ましくない。
【０００６】
そこで、本発明は、伸縮力にバラツキがある場合に着圧バランスを調整して体型を無理なく補整することができる帯状補整構造及びそれを用いた衣類を提供することを目的とするものである。
【課題を解決するための手段】
【０００７】
本発明に係る帯状補整構造は、伸縮性を有する布地からなるとともに所定の補整部位を覆うように巻き付けられる当接部と、前記当接部に取り付けられて前記布地の伸縮を制限するとともに前記補整部位の両側に配置される伸び止め部とを備えている。さらに、前記伸び止め部は、低伸縮性の布地からなるとともに前記当接部の幅方向に沿って取り付けられる縦止め布片と、低伸縮性の布地からなるとともに前記当接部の長手方向に沿って前記縦止め布片と交差するように取り付けられる横止め布片とを備えており、前記横止め布片の対向する端部の間に前記補整部位が配置されるように設定されている。さらに、前記縦止め布片及び前記横止め布片は、モノフィラメントにより織成した織地からなる。
【発明の効果】
【０００８】
本発明は、上記のような構成を有することで、伸縮力にバラツキがある場合に着圧バランスを調整して体型を無理なく補整することができる。
【図面の簡単な説明】
【０００９】
【図１】本発明に係る実施形態である帯状補整構造に関する斜視図である。
【図２】織地により形成された縦止め布片及び横止め布片である。
【図３】伸縮力を調整する場合の説明図である。
【図４】本発明に係る帯状補整構造を用いた衣類に関して着用状態を示す正面側外観斜視図及び背面側外観斜視図である。
【図５】帯状補整構造の変形例に関する斜視図である。
【発明を実施するための形態】
【００１０】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は、本発明に係る実施形態である帯状補整構造に関する斜視図である。帯状補整構造は、所定幅の帯状の布片を無端状に形成した当接部１を備えており、当接部１の内側には、伸び止め部２及び３が所定間隔を空けてそれぞれ取り付けられている。
【００１２】
当接部１は、長手方向及び幅方向に強い伸縮力を有するパワーネット等の伸縮性を有する布地を帯状に切断して形成された帯状布片の両端部を接ぎ合せて無端状に形成されている。当接部１に用いる布地は、長手方向及び幅方向に強い伸縮力を有し柔軟性を有するものであればよく、特に限定されない。そして、当接部１は、人体の所定の補整部位を覆うように巻き付けて使用される。そのため、人体に巻き付けた際に少なくとも補整部位に密着するように伸縮性及び柔軟性を有している。なお、当接部１は、複数種類の布地を接ぎ合せて無端状に構成することもでき、その場合には少なくとも補整部位に当接する部分には伸縮性及び柔軟性を有する布地を使用すればよい。また、当接部１を両端部を有する形状に形成しておき、帯状補整構造を衣類に取り付けることで、所定の補整部位に巻き付けるように設定することもできる。衣類に取り付ける場合には、当接部１を衣類の布地に重ね合せたり、衣類の布地の一部として接ぎ合せて取り付けることができる。
【００１３】
伸び止め部２は、縦止め布片２１及び横止め布片２２を重ね合わせて当接部１に縫着して構成されており、伸び止め部３は、縦止め布片３１及び横止め布片３２を重ね合わせて当接部１に縫着して構成されて取り付けられている。そして、この例では、伸び止め部２を中心として一対の伸び止め部３が伸び止め部２との間に所定間隔を空けて取り付けられている。
【００１４】
縦止め布片２１及び３１並びに横止め布片２２及び３２は、低伸縮性の布地を矩形状に切断して形成されている。低伸縮性の布地としては、当接部１の布地に縫着した状態で布地の伸縮を制限できるものであればよく、例えば、モノフィラメントを経糸及び緯糸に用いて織成された織地、マーキゼット、タフタ等が挙げられる。また、当接部１の布地に重ね合せて着用した場合に段差が目立たないように薄い素材のものが好ましい。
【００１５】
図２は、織地により形成された縦止め布片（図２（ａ））及び横止め布片（図２（ｂ））である。図２に示すように、縦止め布片及び横止め布片は、モノフィラメントからなる織地を経糸及び緯糸に沿って矩形状に切断し、切断された布片の経糸又は緯糸を当接部１の上縁部に沿って配置し、周縁部を縫着して取り付ける。この場合、当接部１の長手方向及び幅方向に沿って布片の経糸及び緯糸が配置され、経糸及び緯糸として用いられるモノフィラメントはほとんど伸縮しないため、布片が取り付けられた領域では、当接部１が長手方向及び幅方向に伸縮することが妨げられる。そのため、縦止め布片及び横止め布片を当接部１に取り付けることで、当接部１を部分的に伸縮しないように制限する伸び止め部として機能するようになる。また、伸び止め部は、薄い布地を重ね合せて構成されているので、着用状態では、伸び止め部が当接部の外表面に突出することはなく自然なシルエットを表出して補整することができる。
【００１６】
縦止め布片２１及び３１は、長手方向の長さが当接部１の伸縮していない自然の状態における幅方向とほぼ同じ長さに設定されており、長手方向を当接部１の幅方向に沿って取り付けられている。そのため、当接部１が伸縮した場合に、縦止め布片２１及び３１を取り付けた箇所では伸縮していない自然の状態の幅方向の長さが維持されるようになり、当接部１が伸縮して幅方向に潰れるような状態になることを防止する。また、横止め布片２２及び３２は、当接部１の幅方向のほぼ中央部に配置されて、長手方向が当接部１の長手方向に沿うように設定されている。そして、横止め布片２２及び３２は、縦止め布片２１及び３１とそれぞれ交差するように重ね合せられて縦止め片とともに当接部１に縫着されている。横止め布片を縦止め布片とともに縫着することで、当接部１が長手方向に伸縮した場合に、横止め布片が縦止め布片に固定されて長手方向に移動しなくなる。
【００１７】
縦止め布片及び横止め布片からなる伸び止め部を、当接部１の内側に間隔を空けて複数箇所に取り付けることで、当接部１の伸び止め部の間の部分の伸縮力を調整することができる。図３は、伸縮力を調整する場合の説明図である。伸縮力を調整する設定領域Ｍを、設定領域Ｍの両端部に縦止め布片２１及び３１を取り付けて画定する。縦止め布片２１及び３１を取り付けることで、設定領域Ｍでは、当接部１を長手方向に引張るように伸ばしても、幅方向に潰れるように皺が寄ることなく、伸縮していない自然の状態の幅を維持して全体が長手方向に均等に伸びるようになる。
【００１８】
そして、横止め布片２２及び３２を当接部１の幅方向のほぼ中央部に配置して、それぞれ縦止め布片２１及び３１に重ね合せて取り付ける。この場合、横止め布片２２及び３２の互いに対向する端部の間の長さＬにより画定される領域が伸縮力が調整される調整領域Ｓとなる。調整領域Ｓの幅は、横止め布片２２の幅Ｄａ及び横止め布片３２の幅Ｄｂに基づいて設定される。調整領域Ｓでは、横止め布片２２及び３２により当接部１の伸縮が制限されているため、当接部１の長手方向の長さＬの部分のみが主として長手方向に伸縮するようになる。横止め布片２２及び３２が取り付けられていない場合には、設定領域Ｍ全体が長手方向に伸縮するため、設定領域Ｍ全体を同じ長さだけ伸ばすことを考えると、横止め布片２２及び３２が取り付けられていない場合に比べて横止め布片２２及び３２を取り付けた場合の方が、調整領域Ｓにおける伸ばす長さが長くなって調整領域Ｓの伸縮力が高まるようになる。そのため、着用した際に当接部１により覆われた部位において伸縮力にバラツキがある場合でも、伸縮力が弱い補整部位に対して伸縮力を高めることで、着用時の着圧バランスを調整して体型を無理なく補整することができる。
【００１９】
そして、調整領域Ｓの長さＬを変化させることで、調整領域Ｓの伸縮力を調整することができ、横止め片の幅を調整することで、調整領域Ｓの幅を調整することが可能となる。図１に示す例では、縦止め布片２１及び横止め布片２２を十字状に交差させて重ね合せた伸び止め部２を縫着し、伸び止め部２の両側に所定間隔を空けて、縦止め布片３１及び横止め布片３２をＴ字状に交差させて重ね合せた一対の伸び止め部３をそれぞれ取り付けている。そして、伸び止め部２の横止め布片２２及び伸び止め部３の横止め布片３２の間に、それぞれ調整領域Ｓ１及びＳ２が設定される。
【００２０】
以上説明したように、薄い布地からなる布片を用いて伸び止め部を調整領域の両側に配置して調整領域の伸縮力を高めて補整するようにしているので、着用した際に当接部１により覆われた部位において伸縮力にバラツキがある場合でも着圧バランスを調整して体型を無理なく補整することができる。そのため、調整領域に当て布等を取り付ける従来の補整に比べてバラツキの少ない締付度合いによって均整のとれた体型に補整することが可能となる。すなわち、調整領域を補整部位に当接させて着用した場合に、補整部位に対して当て布等をせずに当接部のみで伸縮力を高めるようにしているので、圧迫感が軽減されるとともに着用者の体の動きに対する追従性を改善することができ、良好な着用感が得られるようになる。
【００２１】
図４は、本発明に係る帯状補整構造を用いた衣類に関して着用状態を示す正面側外観斜視図（図４（ａ））及び背面側外観斜視図（図４（ｂ））である。衣類は、着用者のウェスト部から大腿部までを覆う本体部１０を備えている。本体部１０は、縦横に高伸縮性を有する柔軟性のある布地を切断してウェスト部から両大腿部を覆うように縫製して構成されている。本体部１０の正面側中央部分には、着用者の下腹部に対応する部位を覆うように逆台形状の下腹当接部１１が設けられている。下腹当接部１１は、本体部１０の表側に、本体部１０よりも伸縮性の低いトリコット編地等の布地を切断して本体部１０に縫着し、裏側に本体部１０の布地よりも伸縮力の強いパワーネット等の伸縮性を有する布地を切断して縫着することで構成されている。
【００２２】
下腹当接部１１の左右両側には、着用者の腰部の周囲を覆う上側当接部１２及び図１に示す帯状補整構造を備える帯状当接部１３が設けられている。上側当接部１２は、本体部１０の裏側に、本体部１０の布地よりも伸縮力の強いパワーネット等の伸縮性を有する布地を帯状に切断して縫着することで構成されている。そして、上側当接部１２の上縁部は、後述するベルト部１８の下縁部に接続されて本体部１０に縫着されて取り付けられており、下縁部は、帯状当接部１３の上縁部に接続されて本体部１０に縫着されて取り付けられている。上側当接部１２の両端部は、下腹当接部１１の左右両側に接続されて縫着されている。
【００２３】
帯状当接部１３は、本体部１０の裏側に、本体部１０の布地よりも伸縮力の強いパワーネット等の伸縮性を有する布地を帯状に切断して縫着するとともに、上述した複数の伸び止め部を取り付けて帯状補整構造に構成されている。帯状当接部１３の上縁部は、上側当接部１２の下縁部とともに本体部１０に縫着して取り付けられており、下縁部は、本体部１０に縫着して取り付けられている。
【００２４】
この例では、図１に示す調整領域Ｓ１及びＳ２は、後脇側の部位に対応する位置に設定されており、後脇側の部位に対して伸縮力を高めて引き締める補整効果を高めることができる。
【００２５】
伸び止め部が取り付けられていない場合、帯状当接部１３は、着用時に全体が長手方向に伸縮するとともに肉薄の部分である脇側に当接した部分が主として伸びることで着圧が高まり、肉厚の背面側や後脇側では相対的にあまり伸びることなく着圧が低くなって十分な補整効果を得ることが難しい。これに対して、上述したように、伸縮力が低くなる部位に対して両側に伸び止め部を取り付けることで、調整領域の伸縮力を大きくして着圧を高めることで全体として補整効果のバランスを改善することができる。この例では、薄い布地を重ね合せた伸び止め部は、肉薄の脇側に当接しているので、圧迫感がちいさく、また伸び止め部が外表面に段差状に突出することもないので、脇側のシルエットにも影響はない。そして、伸び止め部の間の補整部位である肉厚の背面側や後脇側では、当接部のみによる伸縮力で着圧が高められているので、体の動きに合わせて当接部が伸縮して圧迫感が軽減されるとともにバラツキの少ない締付度合いによって均整のとれた体型に補整することができる。
【００２６】
帯状当接部１３の下側には、前側から後側にかけて臀部を覆うように臀部当接部１４が設けられている。臀部当接部１４は、本体部１０の裏側に、本体部１０の布地よりも伸縮力の強いパワーネット等の伸縮性を有する布地を湾曲した形状に切断して縫着することで構成されている。臀部当接部１４の上縁部は、帯状当接部１３の下縁部とともに本体部１０に縫着されて固定されており、臀部当接部１４の両側縁部は、本体部１０に縫着されて固定されている。また、臀部当接部１４の下縁部は、後述する内側当接部１７に接続するように本体部１０に縫着されて固定されている。
【００２７】
両大腿部の外側には、それぞれ一対の外側当接部１５が上下方向に配置されて設けられている。外側当接部１５は、本体部１０の裏側に、本体部１０の布地よりも伸縮力の強いパワーネット等の伸縮性を有する布地を帯状に切断して縫着することで構成されている。外側当接部１５の上縁部は、臀部当接部１４の下縁部とともに本体部１０に縫着されて固定されており、外側当接部１５の両側縁部及び下縁部は、本体部１０に縫着されて固定されている。
【００２８】
下腹当接部１１の下縁には、股部を覆うように股当接部１６が配置されている。股当接部１６は、本体部１０よりも伸縮性の低いトリコット編地等の布地を切断して本体部１０に縫着して形成されており、股当接部１６の前側縁部分が下腹当接部１１の下縁部とともに本体部１０に縫着されて固定されている。
【００２９】
両大腿部には、股部から外側にかけて一対の内側当接部１７が螺旋状にそれぞれ配置されており、内側当接部１７の下側部分は、外側当接部１５の下側部分に重なるように配置されている。内側当接部１７は、本体部１０の布地よりも伸縮力の強いパワーネット等の伸縮性を有する布地を帯状に切断して縫着することで構成されている。内側当接部１７の上縁部は、股当接部１６の側部とともに本体部１０に縫着されて固定されており、側縁部分は、上側において臀部当接部１４に接続するとともに下側において外側当接部１５に重ね合わされて本体部１０に縫着されて固定されている。また、内側当接部１７の下縁部は、外側当接部１５に重ね合わされて本体部１０に縫着されて固定されている。
【００３０】
ウェストテープ部１８は、伸縮性を有する布地を切断してテープ状に形成されており、下縁部分を本体部１０、下腹当接部１１及び上側当接部１２の上縁部分に接続してリング状に縫着することで構成されている。そして、ウェストテープ部１８は、本体部１０、下腹当接部１１及び上側当接部１２よりも横方向の伸縮性が高くなるように設定されている。
【００３１】
以上のように、補整が必要な部位に対して本体部１０よりも伸縮力の強い各当接部を配置することで、体型を引き締めるように補整効果を高めることができる。また、下腹当接部１１のように伸縮性の低い布地を当てることで、膨出しやすい下腹部に圧接して補整することができる。
【００３２】
そして、帯状補整構造を備える帯状当接部１３を腰部の周囲に巻き付けるように配置することで、腰部の周囲の肉厚の背面側や後脇側に対して伸縮力を大きくして着圧を高め、無理なく補整するように調整することができる。そのため、従来のように伸縮力を高める部位に当て布等を取り付けて調整することなく、体型を引き締めて均整のとれた体型に補整することが可能となる。帯状補整構造は、腰部以外の部位に取り付けることもできる。例えば、大腿部の周囲に配置することで、大腿部の内側の伸縮力を高めて引き締めるように設定することも可能である。また、調整領域Ｓは、横止め布片の幅方向の位置及び幅並びに横止め布片の間の長さといったパラメータにより設定することができるため、伸縮力を調整する部位に合わせてこれらのパラメータを調整して調整範囲及び伸縮力をきめ細かく設定することが可能となる。そのため、体型に個人差がある場合でも体型に合わせて調整領域が伸縮することで、個人差の影響の少ない補整を行うことができる。
【００３３】
図５は、帯状補整構造の変形例に関する斜視図である。図５（ａ）では、縦止め布片及び横止め布片を十字状に交差させて重ね合せた伸び止め部２及び３の数を図１に示す例に比べて増加させている。伸び止め部の数を増加させることで、当接部１の伸縮する領域が狭くなり、伸び止め部の間の調整領域における伸縮力をさらに高めることができる。図５（ａ）に示す帯状補整構造を図４に示す帯状当接部１３に用いた場合、背中側だけでなく前側においても伸縮力を大きくして着圧バランスを調整することができる。図５（ｂ）では、伸び止め部２’及び３’の横止め布片を、図１に示す例に比べて細幅に形成して当接部１の幅方向に複数本配列するように取り付けている。伸び止め部２’及び３’の横止め布片をこのように構成することで、伸び止め部２’及び３’の間の調整領域をきめ細かく設定することができ、補整部位に合わせた着圧分布の調整を容易に行うことが可能となる。図５（ｃ）では、伸び止め部２”及び３”の縦止め布片を、図１に示す例に比べて細幅に形成して当接部１の長手方向に複数本配列するように取り付けている。伸び止め部２”及び３”の縦止め布片をこのように構成することで、着用した際に伸び止め部２”及び３”が骨等の突出部分に圧接する場合、突出部分を縦止め布片の間に配置することで、突出部分への圧迫感を軽減するとともに伸び止め部２”及び３”が身体に密着して補整効果を向上させることができる。
【実施例】
【００３４】
図１に示す帯状補整構造を製作して伸縮力を測定した。当接部１となる帯状布片として、パワーネット（株式会社ヴィオレッタ製）を幅７ｃｍに切断して用いた。伸び止め部には、モノフィラメントからなる織地（株式会社ユタックス製）を切断して用いた。まず、縦止め布片として、織地を矩形状（縦７ｃｍ×横４ｃｍ）に切断し、横止め布片として、織地を矩形状（縦４ｃｍ×横７ｃｍ）に切断して用いた。帯状布片の両端部を接ぎ合せてリング状の当接部１を形成し、当接部の内側に伸び止め部２に対応する縦止め布片を縫着し、９．５ｃｍの間隔を空けて伸び止め部３に対応する縦止め布片をそれぞれ縫着した。横止め布片は、伸び止め部２に対応する縦止め布片に対して十字状に交差するように配置して縫着し、伸び止め部３に対応する縦止め布片に対しては、Ｔ字状に交差するように配置して縫着した。そして、伸び止め部２及び３に対応する横止め布片の対向する端部の間の間隔（図３に示す長さＬ）を６．５ｃｍ〜９．５ｃｍに設定した。そして、設定された間隔の中間部分及び脇側の交差部分に測定点を設定して、人体模型にセットし、接触圧測定装置（株式会社エイエムアイ・テクノ製）により着圧を測定した。
【００３５】
測定した結果、間隔が９．５ｃｍでは、伸び止め部３の交差部分の着圧に対して伸び止め部２及び３の間の中間部分の着圧は８１％であったが、間隔が狭くなると両者の差は次第に縮まり、間隔が６．５ｃｍでは９５％となった。したがって、間隔を調整することで、伸び止め部３における着圧に対して伸び止め部２及び３の間の着圧をバランス調整できることがわかった。
【００３６】
また、間隔を６．５ｃｍに設定して、横止め布片の幅Ｄを４ｃｍ及び６ｃｍに設定して間隔の中間点における着圧を測定した。複数の被験者に対して腰部に着用して測定したところ、幅が４ｃｍの場合の着圧に比べて幅が６ｃｍの場合全員の着圧が９％〜１２％に高まることがわかった。伸び止め部を取り付けることで、個人差による影響の少ない着圧バランスの調整を行えることがわかった。
【符号の説明】
【００３７】
１・・・当接部、２・・・伸び止め部、３・・・伸び止め部、１０・・・本体部、１１・・・下腹当接部、１２・・・上側当接部、１３・・・帯状当接部、１４・・・臀部当接部、１５・・・外側当接部、１６・・・股部当接部、１７・・・内側当接部、１８・・・ウェストテープ部、２１、３１・・・縦止め布片、２２、３２・・・横止め布片
【図１】
2015098658.tif 000003
【図２】
2015098658.tif 000004
【図３】
2015098658.tif 000005
【図４】
2015098658.tif 000006
【図５】
2015098658.tif 000007